(57)【要約】【課題】  建柱作業時に頭部カバー体が周囲の張架物への干渉によってずれや脱落してしまうことを防止して、建柱時の作業性を向上することができる電柱防護構造体を提供する。【解決手段】  電気絶縁性を有する合成樹脂から成り、電柱２の頭部３に嵌着される電柱防護構造体１であって、電柱２の頭部３が挿通可能な円筒状の筒状部４と、筒状部４の一端部４ａの開口５を塞ぐ端壁部６と、筒状部４の他端部４ｂおよびその近傍に周方向に巻掛けられ、該筒状部４を電柱２に締付ける長手の締付け部材７とを含み、筒状部４には、その他端部４ｂから一端部４ａ側へ延びる複数の切欠き８を周方向に間隔をあけて形成し、筒状部４の他端部４ｂおよびその近傍に巻掛けられた締付け部材７を締付けることによって、筒状部４の周方向に分割された部分９を電柱２に密着させる。【選択図】      図１
2014080817.tif 000002
【特許請求の範囲】
【請求項１】
電気絶縁性を有する合成樹脂から成り、電柱の頭部に嵌着される電柱防護構造体であって、
前記電柱の頭部が挿通可能な円筒状の筒状部と、
前記筒状部の一端部の開口を塞ぐ端壁部と、
前記筒状部の他端部およびその近傍に周方向に巻掛けられ、該筒状部を電柱に締付ける長手の締付け部材とを含み、
前記筒状部には、その他端部から前記一端部側へ延びる複数の切欠きまたは複数の切込みが、周方向に間隔をあけて形成されることを特徴とする電柱防護構造体。
【請求項２】
前記筒状部には、前記締付け部材の該筒状部の軸線方向の変位を抑止する係止部が設けられることを特徴とする請求項１に記載の電柱防護構造体。
【発明の詳細な説明】
【技術分野】
【０００１】
本発明は、電柱立替え工事における接地短絡を防止するために、割込み建柱として現場に搬入された電柱の頭部に装着される電柱防護構造体に関する。
【背景技術】
【０００２】
典型的な従来技術は、たとえば特許文献１に示されている。この従来技術では、電柱立替え工事の割込み建柱の建柱時の短絡事故を防止するための電柱防護構造体として、電柱であるコンクリート・ポールの頭部に装着されるキャップが提案されている。
【０００３】
鉄筋コンクリート製で中空の電柱であるコンクリート・ポールは、コンクリート表面が風化し、特にポール本体の頂部の末口端部に設けられる閉塞キャップが風化し易い。このような風化によって電柱から破片が落下することを防止するため、電柱の頭部に容易かつ安全に取付け可能なキャップの構造が提案されている。
【０００４】
前記キャップは、円錐状頂部と、該円錐状頂部から垂下する筒状のポール装着部とを含む。ポール装着部は、遠隔操作によって開閉される把持部を先端側に装備した操作工具の前記把持部によって着脱自在に把持されるように構成され、ポール装着部の下半分の内壁に、該内壁の周方向に延びる水平係止突起が複数設けられる。これらの水平係止突起は、該周方向に沿って等しい間隔で配置されるとともに、前記内壁の軸方向にも該軸方向に沿って等しい間隔をあけて互いに平行となるように配置される。
【０００５】
前記ポール装着部の内径は、コンクリート・ポールの末端部分の最大外径よりもやや大きく設定される。前記水平係止突起は、コンクリート・ポールの末端部分の最小外径部分に圧接する突起高さに設定される。
【先行技術文献】
【特許文献】
【０００６】
【特許文献１】実開平４−３１９７４号公報
【発明の概要】
【発明が解決しようとする課題】
【０００７】
前記従来技術のキャップは、円錐状頂部に筒状のポール装着部が連なって形成されるので、前記キャップを電柱の頭部に装着した状態では、前記ポール装着部における前記円錐状頂部とは反対側の開口部と電柱の外周面との間の隙間が大きく、電柱の外周面とキャップの開口部との間に段差があるため、建柱時に電柱の周囲に配置される電線、ケーブル、電線防護部、絶縁シートなどの近接物に、前記キャップの開口部が干渉して引っ掛かるおそれがある。そのため、建柱作業を行うに際して、作業者は前記キャップの開口部に前記近接物が引っ掛からないように慎重に作業を行わなければならず、容易かつ迅速に建柱を行うことができないという問題がある。
【０００８】
また、前述のように建柱時にキャップの開口部が周囲の近接物に干渉すると、前記キャップが電柱の頭部への適切な装着状態からずれてしまい、さらには脱落するおそれがある。このようにキャップが電柱の頭部に対してずれを生じ、あるいは脱落した場合には、電柱の起立作業を中断して、前記キャップを電柱の頭部に適切に装着し直さなければならず、建柱作業に時間を要し、作業性が悪いという問題がある。
【０００９】
本発明の目的は、建柱時にキャップが周囲の近接物への干渉によってずれや脱落してしまうことを防止して、建柱時の作業性を向上することができる電柱防護構造体を提供することである。
【課題を解決するための手段】
【００１０】
本発明は、電気絶縁性を有する合成樹脂から成り、電柱の頭部に嵌着される電柱防護構造体であって、
前記電柱の頭部が挿通可能な円筒状の筒状部と、
前記筒状部の一端部の開口を塞ぐ端壁部と、
前記筒状部の他端部およびその近傍に周方向に巻掛けられ、該筒状部を電柱に締付ける長手の締付け部材と、を含み、
前記筒状部には、その他端部から前記一端部側へ延びる複数の切欠きまたは複数の切込みが、周方向に間隔をあけて形成されることを特徴とする電柱防護構造体である。
【００１１】
また本発明は、前記筒状部には、前記締付け部材の該筒状部の軸線方向の変位を抑止する係止部が設けられることを特徴とする。
【発明の効果】
【００１２】
本発明によれば、筒状部の一端部に端壁部が設けられ、筒状部の他端部に切欠きまたは切込みが形成されるので、筒状部の他端部およびその近傍に巻掛けられた締付け部材を締付けることによって、筒状部の前記切欠きまたは切込みによって周方向に分割された部分を電柱の外周部に巻き掛けられた前捻シート体などに密着させ、電柱の外周面と筒状部の他端部との間の段差を小さくし、建柱時に前記筒状部の他端部が電柱の周囲の近接物に干渉しても、該近接物に筒状部が引っ掛かることが防がれ、建柱時における前記端壁部および筒状部の電柱頭部に対するずれおよび脱落を防止し、建柱の作業性を向上することができる。
【００１３】
また本発明によれば、係止部によって、締付け部材の筒状部に対する軸線方向への変位が抑止され、建柱作業中に前記締付け部材が筒状部から抜け落ちて、電柱防護構造体が電柱頭部から脱落してしまうことを防止し、電柱防護構造体の電柱への確実な装着状態を維持することができる。
【図面の簡単な説明】
【００１４】
【図１】本発明の一実施形態に係る電柱防護構造体１を示す断面図である。
【図２】図１に示す頭部カバー体１０を斜め上方から見た斜視図である。
【図３】図１に示す頭部カバー体１０の締付け部材７による締付け状態を示す一部の拡大断面図である。
【図４】建柱時の作業手順を示す図であり、図４（１）は電柱２の頭部３に絶縁シート体１３を巻き付けて頭部カバー体１０を装着する作業を示し、図４（２）は絶縁シート体１３および頭部カバー体１０を装着した電柱２の起立作業を示す。
【発明を実施するための形態】
【００１５】
図１は、本発明の一実施形態に係る電柱防護構造体１を示す断面図であり、図２は図１に示す頭部カバー体１０を斜め上方から見た斜視図である。本実施形態の電柱防護構造体１は、建柱工事における新設電柱であるコンクリート製の電柱２の頭部３が挿通可能な円筒状の筒状部４と、前記筒状部４の軸線Ｌ１方向の一端部４ａの開口５を塞ぐように該一端部４ａに一体的に設けられる略円錐状の端壁部６と、前記筒状部４の前記軸線Ｌ１方向の他端部４ｂおよびその近傍に周方向に巻掛けられ、該筒状部４を電柱２の頭部３に締付ける長手帯状の締付け部材７とを含む。
【００１６】
前記筒状部４には、その他端部４ｂから前記一端部４ａ側へ延びる複数（本実施形態では６）の切欠き８が周方向に間隔をあけて、たとえば軸線Ｌ１に関して４５°毎に形成される。
【００１７】
これらの切欠き８によって、筒状部４の他端部４ｂおよびその近傍には、周方向に分割された複数の分割片９が形成される。前記切欠き８が形成された筒状部４と前記端壁部６とは、電気絶縁性の合成樹脂製の一体成形物として実現される。前記筒状部４と端壁部６とを含んで、頭部カバー体１０が構成される。
【００１８】
前記締付け部材７は、電気絶縁性の合成樹脂シートから成る。前記筒状部４は、本発明の他の実施形態において、前記切欠き８に代えて、前記筒状部４の他端部４ｂから一端部４ａに延びる複数の切込みが形成されてもよい。
【００１９】
頭部カバー体１０は、厚みＴがたとえばＴ＝２．５ｍｍであり、前記電気絶縁性を有する硬質の合成樹脂である、たとえばポリプロピレン樹脂の成形体によって実現され、たとえばＡＣ６６００Ｖの高電圧電線が懸架される外径１９０ｍｍおよび外径２２０ｍｍの電柱２の頭部３のいずれにも装着可能である。
【００２０】
各分割片９は、一例として述べると、幅Ｂが８０ｍｍ、に選ばれ、長さＣが１４０ｍｍに選ばれる。各分割片９が電柱２に巻回された絶縁シート体１３上で締付け部材７によって締付けられたとき、周方向に隣接する各分割片９が互いに積重され、電柱２に巻回された絶縁シート体１３と頭部カバー体１０との間に、該頭部カバー体１０の厚みＴ以上の大きな段差が生じないように構成されている。
【００２１】
図３は、図１に示す頭部カバー体１０の締付け部材７による締付け状態を示す一部の拡大断面図である。図１および図２をも参照して、前記筒状部４には、前記締付け部材７の該筒状部４に対する軸線Ｌ１方向の変位を抑止するために、該筒状部４の軸線Ｌ１に垂直な一直径線上に位置する２つの分割片９の外周面には、係止部１１が軸線Ｌ１に沿ってそれぞれ設けられる。
【００２２】
各係止部１１は、一対の係止片１１ａ，１１ｂから成る。各係止片１１ａ，１１ｂは、長方形に板状体から成り、長手方向を軸線Ｌ１と平行にして、該軸線Ｌ１方向に互いに隣接する各一端部が僅かな間隔ΔＬをあけて、各他端部が前記筒状部４の他端部４ｂおよびその近傍に固定される。各係止部１１の各係止片１１ａ，１１ｂは、電気絶縁性の合成樹脂から成る。各係止片１１ａ，１１ｂの前記電気絶縁性の合成樹脂である素材としては、たとえば前述の頭部カバー体１０と同様なポリプロピレン樹脂から成ってもよい。
【００２３】
各係止片１１ａ，１１ｂ間の前記間隔ΔＬは、各係止片１１ａ，１１ｂを僅かに弾性変形させることによって各係止片１１ａ，１１ｂ間を締付け部材７が通過可能で、かつ締付け部材７が自重によって各係止片１１ａ，１１ｂ間を通過して落下することを阻止し得る程度の間隔であり、たとえば１〜２ｍｍに選ばれる。
【００２４】
前記筒状部４の一端部４ａ側に配置される一方の係止片１１ａは、前記一端部４ａ側の端部が分割片９の外周面に接着または溶着によって接合される。前記筒状部４の他端部４ｂ側に配置される他方の係止片１１ｂは、前記他端部４ｂ側の端部が分割片９に一体成形される。本発明の他の実施形態では、前述の各係止片１１ａ，１１ｂは、前記一直径線上に位置する各分割片９に接着または溶着されてもよい。
【００２５】
前記締付け部材７は、長手方向一端部が絶縁シート体１３に縫着および溶着によって接合され、この長手方向一端部の外方に臨む表面には面状ファスナが縫着などによって固着される。また前記締付け部材７の長手方向他端部の内方に臨む表面には、前記面状ファスナに着脱可能なもう１つの面状ファスナが縫着などによって固着される。
【００２６】
前記締付け部材７は、電柱２に巻掛けられた絶縁シート体１３を充分に巻回することができる長さ、たとえば１．４ｍ〜１．７ｍの長さで、かつ幅が４０ｍｍ〜１００ｍｍ程度の帯状体の長手方向一端部に雌型面状ファスナが固着され、長手方向他端部に雄型面状ファスナが固着された構成であってもよい。前記帯状体としては、電気絶縁性の合成樹脂である、たとえば難燃性ポリエチレン樹脂から成る可撓性シートを複数層に重ねて縫着されたものを挙げることができる。
【００２７】
前記絶縁シート体１３は、電気絶縁性を有する可撓性シートから成り、電柱２に巻き付けて装着されて該電柱２の外周面を覆っている。この絶縁シート体１３が電柱２に巻付けられて装着された状態では、絶縁シート体１３の上縁辺部１３ａは、頭部カバー体１０の各切欠き８の最も一端部４ａ寄りの端縁８ａよりもさらに前記一端部４ａ側に配置され、頭部カバー体１０の前記切欠き８が形成されていない円筒状部分に、部分的に軸線Ｌ１方向に重なるように配置される。
【００２８】
これによって、頭部カバー体１０と絶縁シート体１３との間には、隙間がなく、頭部カバー体１０から絶縁シート体１３とにわたる沿面距離が確保され、確実な電気絶縁性が得られるように構成されている。
【００２９】
前記可撓性シートとしては、幅１０００ｍｍ、長さ１６００ｍｍ、厚み１．５ｍｍのエチレン・酢酸ビニル共重合樹脂（略称ＥＶＡ）から成る単層シートによって実現されるが、本発明の他の実施形態では、前記ＥＶＡに代えて、難燃性ポリエチレン樹脂によって実現されてもよい。
【００３０】
図４は建柱時の作業手順を示す図であり、図４（１）は電柱２の頭部３に絶縁シート体１３を巻き付けて頭部カバー体１０を装着する状態を示し、図４（２）は絶縁シート体１３および頭部カバー体１０を装着した電柱２の起立作業状態を示す。
【００３１】
建柱に際しては、図４（１）に示すように、横倒しした電柱２の頭部３に絶縁シート体１３を券回して、頭部カバー体１０を装着した後、前述の締付け部材７で頭部カバー体１０と絶縁シート体１３とを結束する。
【００３２】
その後、図４（２）に示すように、建柱車両３０によって絶縁シート体１３および頭部カバー体１０を装着した電柱２を吊上げて起立させ、建柱する。
【００３３】
以上の構成によれば、筒状部４に切欠き８（または切込み）が形成されるので、筒状部４の他端部４ｂおよびその近傍に巻掛けられた締付け部材７を締付けることによって、筒状部４の前記切欠き８（または切込み）によって周方向に分割された分割片９を電柱２の外周部に密着させ、電柱２と筒状部４の他端部４ｂとの間の隙間δをなくして、電柱２の外周面と頭部カバー体１０の筒状部４の外周面との段差を少なくし、工具や周囲の構造物である近接物が筒状部４に引っ掛かるなどの不具合の発生を防止して、頭部カバー体１０の電柱２の頭部３からの脱落を防ぎ、建柱時の作業性・安全性を向上することができる。
【００３４】
また、係止部１１によって、締付け部材７の筒状部４に対する軸線Ｌ１方向への変位が抑止され、締付け部材７が筒状部４から抜け落ちて、頭部カバー体１０から脱落してしまうことを防止し、電柱防護構造体１の電柱２への確実な装着状態を維持することができる。
【００３５】
さらに、電柱防護構造体１は、筒状部４と端壁部６とが電気絶縁性を有する合成樹脂によって連続した一体構造として形成されるので、頭部カバー体１０を電柱２の頭部３に装着するに際しては、筒状部４の前記端壁部６によって塞がれていない他端部４ｂ側から電柱２の頭部３に被せればよく、頭部カバー体１０を電柱２の頭部３に対して容易に装着することができる。
【００３６】
また、建柱後に頭部カバー体１０を電柱２の頭部３から取り外す際には、締付け部材７を各面状ファスナ１２の巻き掛けられた状態から開放した後、締付け部材７の結束状態を解除することによって、電柱２の頭部３に装着された頭部カバー体１０および絶縁シート体１３を該電柱２から容易に取り外すことができる。
【００３７】
絶縁シート体１３は、電気絶縁性を有する可撓性シートから成り、電柱２の最も頭部３寄りに配置される上縁辺部１３ａが、該電柱２に装着された頭部カバー体１０の下端部よりも内側に重なった状態で配置されるように、前記電柱２に巻き付けて装着されるので、雨水などが電柱２の絶縁シート体１３との間に浸入することが防がれ、電気絶縁性の低下を防止することができる。
【００３８】
このように、電柱２の頭部３に対して頭部カバー体１０および絶縁シート体１３を容易に着脱することができるとともに、沿面距離を大きくして電気絶縁性の向上を図ることができる。
【００３９】
また、頭部カバー体１０が絶縁シート体１３よりも硬質の合成樹脂から成り、略円錐状に形成されるので、建柱時に電柱２を横倒しした状態から起立させる際に、周囲の電線および変圧器などの周辺機器に近接しても、該周辺機器が案内面によって頭部カバー体１０から離反する側へ案内され、電柱２が起立途中で周辺機器に引っ掛かることが防がれ、円滑に電線を起立させることができ、建柱作業の円滑化を図り、安全性を向上することができる。
【００４０】
また、頭部カバー体１０が電柱２に装着された絶縁シート体１３の上端部の外径よりも大きい内径を有する開口部を有するので、電柱２と絶縁シート体１３との間に雨水、鳥、虫、異物などが侵入することを、より一層確実に防止し、信頼性の高い電気絶縁性を実現することができる。
【００４１】
前述の実施形態では、頭部カバー体１０の厚みＴが一様に形成される例について述べたが、本発明の他の実施形態では、各分割片９の厚みを各分割片９よりも一端部４ａ側の円筒状の部分の厚みＴよりも小さくして、締付け部材７の締付力によって容易に内側へ弾性変形させて、締付け部材７を締付けた際により大きな締付け力が各分割片９および絶縁シート体１３に作用させるようにしてもよい。
【００４２】
これによって、各分割片９と電柱２の頭部３に巻き掛けられた絶縁シート体１３との間に大きな隙間が生じる場合であっても、各分割片９を内側に容易に弾性変形させて、前記巻き掛けられた絶縁シート体１３の外周面に密着させ、大きな締付け力で各分割片９および絶縁シート体１３を締付けることができ、電柱２に対する頭部カバー体１０抜落ちを防止し、頭部カバー体１０の電柱２の頭部３に対するずれ防止および抜け落ち防止に対する信頼性を向上することができる。このような構成を採用する場合においても、前述の実施形態と同様な効果を奏することができる。このような構成を採用する場合においても、前述の実施形態と同様な効果を奏することができる。
【００４３】
さらに本発明の他の実施形態では、締付け部材７は帯状の合成樹脂製シートに限るものではなく、金属バンド、ワイヤロープ、紐などの結束用材料を適宜選択して用いることができる。このような構成を採用する場合においても、前述の実施形態と同様な効果を奏することができる。
【符号の説明】
【００４４】
１  電柱防護構造体
２  電柱
３  頭部
４  筒状部
４ａ  一端部
４ｂ  他端部
５  開口
６  端壁部
７  締付け部材
８  切欠き
９  分割片
１０  頭部カバー体
１１  係止部
１１ａ，１１ｂ  係止片
１３  絶縁シート体
３０  建柱車両
Ｌ１  軸線
【図１】
2014080817.tif 000003
【図２】
2014080817.tif 000004
【図３】
2014080817.tif 000005
【図４】
2014080817.tif 000006